(57)【要約】【課題】簡単な操作で脱ぎ履きを行うことができ、且つ密着感の高い履き心地が得られる靴の提供。【解決手段】甲部に１対の靴紐による緊締開閉部とスライドファスナーによる緊締開閉部とを有することによって、脱ぎ履き容易にすると共に密着感の高い履き心地を得ることを特徴とする高齢者等用履物。甲被部は、軽量の布等で作成されており、足の両側部および足首を覆う左右の甲被と、皮革等で作成された爪先部を覆う甲被と、外皮と芯材は遠位まで延びて踵部を覆う甲被と、爪先部を覆う部分から延設した甲部を覆う甲皮とで構成されている。また、左右の甲被の上端には足首を囲繞するクッション材が設けられており、足首にフィットさせ安定した装着感を与えると共に、装着者の足首を保護することができる。【選択図】        図１
2004357988.tif 000002
【特許請求の範囲】
【請求項１】
甲部に１対の靴紐による緊締開閉部とスライドファスナーによる緊締開閉部とを有することによって、脱ぎ履き容易にすると共に密着感の高い履き心地を得ることを特徴とする高齢者等用履物。
【請求項２】
甲部を覆う甲被の１辺と足の外側側部を覆う甲皮との間を靴紐による締め付け調節部とし、甲部を覆う甲被の他辺と足の内側側部を覆う甲皮との間をスライドファスナーによる開閉部としたことを特徴とする請求項１記載の高齢者用等履物。
【請求項３】
スライドファスナーを開閉するためのスライド金具の形状が通常のファスナーより大きめの角型リング形状であることを特徴とする請求１または２のいずれかに記載の高齢者等用履物。
【請求項４】
甲部を覆う甲皮の幅をＭＰポイント（通常足囲を測る部分で足の巾の一番広いところ）としたことを特徴とする請求項１ないし３のいずれかに記載の高齢者等用履物。
【発明の詳細な説明】
【０００１】
【発明の属する技術分野】
この発明は、脱ぎ履きが容易であり、しかも、履き心地も良好な靴に関し、詳しくは、一対の緊締紐とスライドファスナーを用いて、緊締紐で足の当たりを調節して足に確実にフィットさせて良好な履き心地が得られ、スライドファスナーを緩めたり締めたりすることで容易に脱ぎ履きできる靴に関する。本発明において、高齢者等用履物の高齢者等とは、高齢者に限らず障害者などを含む意味で使用している。
【０００２】
【従来の技術】
従来より靴を履く際には、履こうとする足を靴へ挿入したうえで、足の踵の部分を靴にフィットさせるために、靴のヒール部分を指で引っ張ったり、または靴べらを用いて、踵を靴へ入れていた。また、靴を脱ぐ際にもまず、靴のヒール部分を引っ張って踵を出したり、または靴紐を緩めたり面ファスナーを開けたりなどして靴を緩めたうえで踵を外してから脱いでいた。
一方で、上記課題を解決するために甲部に１対のスライドファスナーを有する靴もあるが、スライドファスナー２本あることから健常者の靴とは異なるファッション性を有するものであり、また、靴紐部と２本のスライドファスナーの３カ所で調整を行うことから高齢者等にとっては調整が複雑であるという問題もあった。（特許文献１）
【０００３】
【特許文献１】
特開２００１−１０４０１０号公報
【０００４】
【発明が解決しようとする課題】
上記従来の靴は、靴の脱ぎ履きの際には２つのスライドファスナーを上げ下げしなければならず、手が塞がっている場合や、手で身体を支えなければならないような、高齢者や障害者にとっては時に大変、手間や時間の掛かるという欠点があった。
【０００５】
そこで本発明は、片手で簡単に脱ぎ履きができ、しかも、常に密着感の高い履き心地が得られる靴を提供することを課題とする。
【０００６】
【課題を解決するための手段】
上記課題を解決するために、請求項１の発明は、高齢者等用履物において、甲部に１対の靴紐による緊締開閉部とスライドファスナーによる緊締開閉部とを有することによって、脱ぎ履き容易にすると共に密着感の高い履き心地を得ることを特徴とし、請求項２の発明は、請求項１の発明において、甲部を覆う甲被の１辺と足の外側側部を覆う甲皮との間を靴紐による締め付け調節部とし、甲部を覆う甲被の他辺と足の内側側部を覆う甲皮との間をスライドファスナーによる開閉部としたことを特徴とし、請求項３の発明は、請求項１または請求項２のいずれかの発明において、スライドファスナーを開閉するためのスライド金具の形状が通常のファスナーより大きめの角型リング形状であることを特徴とし、さらに、請求項４の発明は、請求項１ないし３のいずれかの発明において、甲部を覆う甲皮の幅をＭＰポイント（通常足囲を測る部分で足の巾の一番広いところ）としたことを特徴とする。
【０００７】
【作用】
最初の装着時には、スライドファスナーを閉じ、靴紐を弛めた状態で足を挿入し、靴紐の締め付け量を最適の履き心地状態に調節緊締し、以後の装着時にはスライドファスナーを開閉することにより、靴の脱ぎ履きを行い常時最適の履き心地状態を得る。本発明の靴を使用することによって、簡単にサイズが調整できるので、常に最適の履き心地が得られる。また、簡単に着脱ができるので、高齢者や障害者にとって、着脱に際しての労力を使わないで済むし、スライド金具が通常のファスナーより大きめの角型リング形状であるためリーチャ等の補助具の使用も可能である。本発明の靴は、健常者用の靴と同様の意匠を採用可能であり、従来の老人等用の靴に比べ意匠的に優れた靴を提供でき、老人等の外出欲を誘うことができる。
【０００８】
【実施例】
本発明の詳細を図示の実施例で説明するが、本発明はこれらの実施例によって何ら限定されるものではない。なお、図面は右足用の靴を示す。
【０００９】
実施例の靴の主要部は、底部Ａと甲被部Ｂとで構成されており、底部Ａは軽量で屈曲性があり、かつ滑り難い素材を用いるか、軽量で屈曲性がある素材を採用し接地面には適宜の滑り止め手段が施されている。また、甲被部Ｂは、軽量の布等で作成されており、足の両側部および足首を覆う左右の甲被１、２と、皮革等で作成された爪先部を覆う甲被３と、外皮と芯材は遠位まで延びて踵部を覆う甲被４と、爪先部を覆う部分から延設した甲部を覆う甲皮５とで構成されている。
また、左右の甲被１、２の上端には足首を囲繞するクッション材６が設けられており、足首にフィットさせ安定した装着感を与えると共に、装着者の足首を保護することができる。
なお、上記甲皮１乃至５の素材は軽量で強度のあるものであれば布製であろうと皮製であろうとその素材を問わない。
【００１０】
実施例の靴は上記構成に加えて次の構成を備えている。
甲部を覆う甲皮５の一側と甲皮２の一側にはそれぞれ紐通し孔８…が設けられており、紐９を通し通常の編み上げ靴と同様に、紐９を締めて足に靴を固定することができる。
なお、甲部を覆う甲皮５の裏面には、前記紐通し孔８…を内側から覆い、装着時には甲皮２の下面に達する塵除片１２が設けられており、歩行時塵埃が靴内に進入するの防止することができる。
【００１１】
甲部を覆う甲皮５の紐通し孔８…を設けた辺と反対の辺と甲皮１の前端縁とにスライドファスナー１０が取り付けられており、スライド金具１３の上下動により、開閉できるようになっている。
なお、スライドファスナー１０は、スライド金具１３が歩行中装着者の意に反して移動することが防止できるオートロック形式のスライドファスナーが好ましい。
【００１２】
また、踵を覆う甲被４の外側上部には手の指が充分に入るループ７が設けられており、装着時、高齢者や障害者が容易に手の指を挿入して靴の踵部を引き上げることにより装着を容易にしている。
なお、１１は衝撃吸収材からなるインソールであって、靴底に足裏面をフィットさせると共に、歩行時足に加わる衝撃を吸収し、装着者の疲労を緩和するものである。
【００１３】
以上の構成を備える実施例の靴の着用に当たっては、スライド金具１３を上端まで引き上げて切り込み部を完全に閉鎖した状態にし、靴紐９を装着可能な程度に弛める。この状態では、靴紐９がほどけて開いているので、足を靴にスムーズに入れられる。足を入れたあとは靴紐を足が靴にちょうどフィットするところまで締めて靴紐を結ぶことにより、密着感の高い履き心地を得ることができる。
【００１４】
また、靴を脱ぐ際には、スライド金具１３を引き下げ、甲開口部の開きが足の巾とほぼ等しいので、足を持ち上げるだけで、靴を押さえて足を引き抜くことをせず簡単に足が抜ける。そして、再度靴を履くときは、甲開口部に足を挿入した後、スライド金具１３を引き上げ、スライド金具１３に設けた突起をスライドファスナー１０を構成する噛合子間に係合させてスライド金具１３をロックし、スライド金具１３が装着者の意に反して移動してスライドファスナー１０が開放するのを防止する。
【００１５】
このように、実施例の靴は、一方の紐結びなので、履く人の甲（足巾）に合わせて広げたり縮めたりすることができ、また、靴は足のラインに合わせてピッタリとフィットすることができ、歩きやすく、足が疲れず、安全歩行ができる。さらに、図４に示すように、２度目以降の装着は、スライド金具１３を下げると甲開口部がＭＰポイント（通常足囲を測る部分で足の巾の一番広いところ）まで開くことができるので、非常に履きやすく、靴紐の締め付け状態は変わらないので、常に最適の履き心地が得られる。また、靴を着脱する際に、靴べらを用いたり、また足から靴をもぎ取るような労力は使わないで済む。さらに、スライド金具１３が通常のファスナーより大きめの角型リング形状となっているため、リーチャ等の補助具を使用して着脱することも可能である。
【００１６】
以上の説明は、自力で靴を脱ぎ履きする過程を説明したが、自力で着脱ができない高齢者や障害者に対しては、介添え者が上記過程、特に最初の装着を代行して行うと、次回からの着脱は、スライドファスナーの引き上げまたは引き下げだけとなるので高齢者や障害者自身で行うことが可能となり、この際リーチャ等の補助具を使用することも可能である。
【００１７】
靴に適用した例を説明したが、緊締開閉部に紐を用いる靴に適用できることは明らかであり、また、高齢者および障害者を対象にして説明したが、年令や性別に関係なく広く適用することができる。
【００１８】
【発明の効果】
本発明に係る靴は、靴紐部とスライドファスナーの２カ所で密着度を調整することができるため、通常の靴と比べより高い密着感を得ることができる。
また、調整は靴紐部とスライドファスナーの２カ所のみの作業であるため高齢者等でも簡易に行うことができ、１度調整をすれば、スライドファスナーの引き上げまたは引き下げだけで簡単にサイズが調整できるので、片手で身体を支持し安定した状態で靴の着脱を行なうことができるし、リーチャ等の補助具を使用してスライド金具の引き上げまたは引き下げを行うこともできる。
また、甲部を覆う甲皮が大きく、通常の紐靴と比べると装着したときの安定感が高いことから快適な履き心地を提供することができる。
さらに、健常者用の靴と同様の意匠を採用可能であり、靴の外側部から見ると通常の靴紐編み上げ靴に見えるため、非常にファッション性が高く、高齢者等に快活なイメージを与えることができる。
【図面の簡単な説明】
【図１】本発明に係る右足用の靴の内側正面図である。
【図２】本発明に係る右足用の靴の外側正面図である。
【図３】本発明に係る右足用の靴の平面図である。
【図４】本発明に係る靴の装着方法を説明する斜視図である。
【図５】本発明に係る靴の靴裏の正面図である。
【図６】本発明に係る靴の端面図である。
【符号の説明】
Ａ    底部
Ｂ    甲被部
１  足の内側側部を覆う甲被
２  足の外側側部を覆う甲被
３  爪先部を覆う甲被
４  踵部を覆う甲被
５  甲部を覆う甲被
６  クッション材
７  ループ
８  紐通し孔
９  紐
１０  スライドファスナー
１１  インソール
１２  塵除片
１３  スライド金具
【図１】
2004357988.tif 000003
【図２】
2004357988.tif 000004
【図３】
2004357988.tif 000005
【図４】
2004357988.tif 000006
【図５】
2004357988.tif 000007
【図６】
2004357988.tif 000008